(57)【要約】【課題】所望のシェーマ原画像を、簡単な操作で、直感的に、速やかに探し出すことができるようにする。【解決手段】シェーマポイントの人体モデル画像上の位置と各シェーマポイントが持つシェーマ原画像とをシェーマポイント毎に保持している手段と、前記人体モデル画像を表示する原画像検索画面に各シェーマポイントを表示する手段と、前記原画像検索画面にてポインタにより指示されるシェーマポイントが持つシェーマ原画像を原画像選択画面に候補表示する手段と、前記原画像選択画面にて選択されたシェーマ原画像を作成すべきシェーマ記録画像としてシェーマ入力画面に表示する手段と、を有する診療支援装置。【選択図】　　　図２
2004078299.tif 000002
【特許請求の範囲】
【請求項１】
シェーマ原画像が対応付けられている領域をシェーマポイントとして管理する診療支援装置であって、
シェーマポイントの人体モデル画像上の位置と、各シェーマポイントが持つシェーマ原画像とを、シェーマポイント毎に保持している原画像記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
を有することを特徴とする診療支援装置。
【請求項２】
請求項１に於いて、
前記原画像候補表示手段は、さらに、前記ポインタにより指示されるシェーマポイントの近傍位置のシェーマポイントが持つシェーマ原画像を前記原画像選択画面に候補表示する、
ことを特徴とする診療支援装置。
【請求項３】
請求項１又は請求項２に於いて、
前記原画像候補表示手段は、シェーマ原画像に代えてその簡易化画像を前記原画像選択画面に候補表示する、
ことを特徴とする診療支援装置。
【請求項４】
付記用の原データが対応付けられている領域をシェーマデータポイントとして管理する診療支援装置であって、
シェーマデータポイントが属するシェーマ原画像と、シェーマデータポイントのシェーマ原画像上の位置と、シェーマデータポイントが持つ付記用の原データとを、シェーマデータポイント毎に保持している原データ記憶手段と、
シェーマ原画像に属する各シェーマデータポイントを、該シェーマ原画像に基づいてシェーマ入力画面に表示したシェーマ記録画像上の対応位置にそれぞれ表示する原データ位置表示手段と、
前記シェーマ入力画面にてポインタにより指示されるシェーマデータポイントが持つ付記用の原データを、原データ選択画面に候補表示する原データ候補表示手段と、
前記原データ選択画面での選択により前記シェーマ記録画像に付記された原データを持つシェーマデータポイントの前記シェーマ記録画像上の対応位置を、前記付記データを持つシェーマデータ記録ポイントとして前記シェーマ記録画像に対応付けて記憶する付記データ位置記憶手段と、
を有することを特徴とする診療支援装置。
【請求項５】
シェーマ原画像が対応付けられている領域をシェーマポイントとして管理するとともに、付記用の原データが対応付けられている領域をシェーマデータポイントとして管理する診療支援装置であって、
シェーマポイントの人体モデル画像上の位置と、各シェーマポイントが持つシェーマ原画像とを、シェーマポイント毎に保持している原画像記憶手段と、
シェーマデータポイントが属するシェーマ原画像と、シェーマデータポイントのシェーマ原画像上の位置と、シェーマデータポイントが持つ付記用の原データとを、シェーマデータポイント毎に保持している原データ記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
前記シェーマ記録画像が基づいたシェーマ原画像に属する各シェーマデータポイントを、前記シェーマ記録画像上の対応位置にそれぞれ表示する原データ位置表示手段と、
前記シェーマ入力画面にてポインタにより指示されるシェーマデータポイントが持つ付記用の原データを、原データ選択画面に候補表示する原データ候補表示手段と、
前記原データ選択画面での選択により前記シェーマ記録画像に付記された原データを持つシェーマデータポイントの前記シェーマ記録画像上の対応位置を、前記付記データを持つシェーマデータ記録ポイントとして前記シェーマ記録画像に対応付けて記憶する付記データ位置記憶手段と、
を有することを特徴とする診療支援装置。
【請求項６】
請求項１〜請求項５の何れかに於いて、さらに、
前記シェーマ記録画像が基づいたシェーマ原画像を持つシェーマポイントの人体モデル画像上の位置を、前記シェーマ記録画像を持つシェーマ記録ポイントとして記憶する記録画像位置記憶手段、
を有することを特徴とする診療支援装置。
【請求項７】
シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
前記人体モデル画像を表示する記録画像検索画面に各シェーマ記録ポイントを表示する記録画像位置表示手段と、
前記記録画像検索画面にてポインタにより指示されるシェーマ記録ポイントが持つシェーマ記録画像を、記録画像選択画面に候補表示する記録画像候補表示手段と、
前記記録画像選択画面にて選択されたシェーマ記録画像を編集対象としてシェーマ編集画面に表示する対象画像表示手段と、
を有することを特徴とする診療支援装置。
【請求項８】
請求項７に於いて、さらに、
シェーマ記録画像に関する書誌情報を検索キーとして利用可能なようにシェーマ記録画像毎に記憶している検索情報記憶手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記編集対象のシェーマ記録画像と同じであるシェーマ記録画像の中から、入力された検索キーに該当するシェーマ記録画像を抽出する検索制御手段と、
を有することを特徴とする診療支援装置。
【請求項９】
シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
操作入力により編集対象として選択されたシェーマ記録画像をシェーマ編集画面に表示する対象画像表示手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記編集対象のシェーマ記録画像と同じであるシェーマ記録画像の中から、入力された検索キーに該当するシェーマ記録画像を抽出する検索制御手段と、
を有することを特徴とする診療支援装置。
【請求項１０】
シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
操作入力により作成すべき対象として設定された画像をシェーマ記録画像としてシェーマ入力画面に表示する対象画像表示手段と、
操作入力により前記作成対象のシェーマ記録画像に関して設定された前記人体モデル画像上の位置に基づいて該シェーマ記録画像にシェーマ記録ポイントを設定する記録画像位置設定手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記作成対象のシェーマ記録画像と同じであるシェーマ記録画像の中から、入力された検索キーに該当するシェーマ記録画像を抽出する検索制御手段と、
を有することを特徴とする診療支援装置。
【請求項１１】
シェーマ原画像が対応付けられている領域をシェーマポイントとして管理するとともに、シェーマ記録画像が対応付けられている領域をシェーマ記録ポイントとして管理する診療支援装置であって、
シェーマポイントの人体モデル画像上の位置と、各シェーマポイントが持つシェーマ原画像とを、シェーマポイント毎に保持している原画像記憶手段と、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
前記シェーマ記録画像が基づいたシェーマ原画像を持つシェーマポイントの人体モデル画像上の位置を、前記シェーマ記録画像を持つシェーマ記録ポイントとして記憶する記録画像位置記憶手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記作成対象のシェーマ記録画像と同じであるシェーマ記録画像の中から、入力された検索キーに該当するシェーマ記録画像を抽出する検索制御手段と、
を有することを特徴とする診療支援装置。
【請求項１２】
請求項８〜請求項１１の何れかに於いて、
前記検索制御手段に代えて、
検索キーが入力されると、シェーマ記録ポイントが前記作成対象又は編集対象のシェーマ記録画像と同じであるシェーマ記録画像であって且つ検索キーで規定される範囲に含まれるシェーマ記録画像を抽出して、所定時間間隔で切り換えて連続的に表示する表示制御手段、
を有することを特徴とする診療支援装置。
【請求項１３】
請求項８〜請求項１２の何れかに於いて、
前記検索情報記憶手段が記憶している前記書誌情報は、シェーマ記録画像の作成年月日、及び／又は、シェーマ記録画像の対象患者を一意に指す患者ＩＤ、及び／又は、該対象患者の性別、及び／又は、該対象患者の年齢、及び／又は、該対象患者の病名、及び／又は、シェーマ記録画像中に付記した定型コメント、及び／又は、シェーマ記録画像中に付記した定型図形であり、
前記検索準備手段が操作入力を促す情報は、シェーマ記録画像の作成時期もしくは期間の指定、及び／又は、シェーマ記録画像の対象患者の指定、及び／又は、該対象患者の性別の指定、及び／又は、該対象患者の年齢もしくは年齢範囲の指定、及び／又は、該対象患者の病名の指定、及び／又は、シェーマ記録画像中に付記した定型コメントの指定、及び／又は、シェーマ記録画像中に付記した定型図形である、
ことを特徴とする診療支援装置。
【発明の詳細な説明】
【０００１】
【発明の属する技術分野】
本発明は、電子カルテ機能を備えたコンピュータ装置であるところの診療支援装置に関する。詳しくは、シェーマ画像の入力／記録／編集機能を備えた診療支援装置に関する。
【０００２】
【従来の技術】
図２２〜図２４は、従来のシェーマ画像の入力手順を示す。即ち、電子カルテシステムが予め持っている多数のシェーマ原画像の中から、所望のシェーマ原画像を探し出し、これを、シェーマ図の作成に活用する場合の入力手順を示す。以下、この入力手順を説明する。
【０００３】
まず、分類を選択する。即ち、図２０に於いて、分類選択欄（画面内左端部の欄）から該当する分類を選択する。例えば「呼吸器系」を選択する。この分類は病名に基づくものであり、人体の部位毎の区分ではない。分類数が多いために一度に分類選択欄に表示されない場合は、スクロール操作を行う。
【０００４】
分類を選択すると、該選択した分類に含まれるシェーマ原画像が、図２１のように、シェーマ原画像候補欄（画面内左部中央寄り部分）に、選択可能に一覧表示される。病名に基づく分類であって、人体の部位毎の区分ではないため、所望のシェーマ原画像を直感的に探し出すことが難しく、探し出すまでに手間取ることがある。分類内のシェーマ原画像数が多いために一度にシェーマ原画像候補欄に表示されない場合は、スクロール操作を行う。
【０００５】
所望のシェーマ原画像が見つかると、該シェーマ原画像を選択して画像編集領域（画面内右下部）へドラッグ＆ドロップする。これにより、該シェーマ原画像の編集が可能となる（図２１参照）。換言すれば、シェーマ図の作成が可能となる。編集は、例えば、画像内へコメントや図形等を付記することで行う（図２２参照）。編集後の画像（シェーマ図）は、付記されたコメントや図形等が一体化された画像データとして管理される。
【０００６】
【発明が解決しようとする課題】
前述の従来の入力方式は、下記の問題を有する。
１．分類が病名に基づくものであり、人体の部位毎の区分ではないため、所望のシェーマ原画像を直感的に探し出すことが難しい。このため、探し出すまでに手間取ることがある。
２．分類内のシェーマ原画像数が多いために一度に表示されない場合はスクロール操作が必要であり、この理由から、所望のシェーマ原画像を探し出すまでに手間取ることがある。分類内のシェーマ原画像数を減らすためには分類数を増やす必要があるが、その場合には、所望の分類を探し出すことに関して、上記と同様の問題が生ずる。
３．編集後のシェーマ図は、付記されたコメントや図形等が一体化された画像データとして管理される。このため、既存のシェーマ図中に付記したコメントや図形等を後に有効活用できない。例えば、現在作成中のシェーマ図中に、既存のシェーマ図中のコメント等を転記することができない。また、シェーマ図中に付記したコメント等を検索キーとして用いて、既存のシェーマ図の中から所望のシェーマ図を探し出して参照することもできない。また、シェーマ図中に付記したコメント等の関連情報（シェーマ図に関連する情報）を検索キーとして利用できないため、患者の枠を越えて、既存のシェーマ図を参照することが極めて困難である。例えば、現在の患者の診療等に活用したい別の患者（例：病状等に共通点が有る患者等）のシェーマ図を参照することが極めて困難である。
【０００７】
本発明は、下記を目的とする。
１．システムが持つシェーマ原画像の中から、所望のシェーマ原画像を、簡単な操作で、直感的に、速やかに探し出すことができるようにする。
２．既存のシェーマ図中に付記したコメント等を用いて、既存のシェーマ図の中から、所望のシェーマ図を速やかに探し出すことができるようにする。
３．既存のシェーマ図中に付記したコメント等を抜き出して、現在作成中のシェーマ図中に転記できるようにする。
４．患者の枠を越えて、既存のシェーマ図を容易に参照できるようにする。
【０００８】
【課題を解決するための手段】
本発明の構成を、下記（１）〜（１３）に記す。
【０００９】
（１）　シェーマ原画像が対応付けられている領域をシェーマポイントとして管理する診療支援装置であって、
シェーマポイントの人体モデル画像上の位置と、各シェーマポイントが持つシェーマ原画像とを、シェーマポイント毎に保持している原画像記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
を有することを特徴とする診療支援装置。
【００１０】
（２）　前記（１）に於いて、
前記原画像候補表示手段は、さらに、前記ポインタにより指示されるシェーマポイントの近傍位置のシェーマポイントが持つシェーマ原画像を前記原画像選択画面に候補表示する、
ことを特徴とする診療支援装置。
【００１１】
（３）　前記（１）又は（２）に於いて、
前記原画像候補表示手段は、シェーマ原画像に代えてその簡易化画像を前記原画像選択画面に候補表示する、
ことを特徴とする診療支援装置。
【００１２】
（４）　付記用の原データが対応付けられている領域をシェーマデータポイントとして管理する診療支援装置であって、
シェーマデータポイントが属するシェーマ原画像と、シェーマデータポイントのシェーマ原画像上の位置と、シェーマデータポイントが持つ付記用の原データとを、シェーマデータポイント毎に保持している原データ記憶手段と、
シェーマ原画像に属する各シェーマデータポイントを、該シェーマ原画像に基づいてシェーマ入力画面に表示したシェーマ記録画像上の対応位置にそれぞれ表示する原データ位置表示手段と、
前記シェーマ入力画面にてポインタにより指示されるシェーマデータポイントが持つ付記用の原データを、原データ選択画面に候補表示する原データ候補表示手段と、
前記原データ選択画面での選択により前記シェーマ記録画像に付記された原データを持つシェーマデータポイントの前記シェーマ記録画像上の対応位置を、前記付記データを持つシェーマデータ記録ポイントとして前記シェーマ記録画像に対応付けて記憶する付記データ位置記憶手段と、
を有することを特徴とする診療支援装置。
【００１３】
（５）　シェーマ原画像が対応付けられている領域をシェーマポイントとして管理するとともに、付記用の原データが対応付けられている領域をシェーマデータポイントとして管理する診療支援装置であって、
シェーマポイントの人体モデル画像上の位置と、各シェーマポイントが持つシェーマ原画像とを、シェーマポイント毎に保持している原画像記憶手段と、
シェーマデータポイントが属するシェーマ原画像と、シェーマデータポイントのシェーマ原画像上の位置と、シェーマデータポイントが持つ付記用の原データとを、シェーマデータポイント毎に保持している原データ記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
前記シェーマ記録画像が基づいたシェーマ原画像に属する各シェーマデータポイントを、前記シェーマ記録画像上の対応位置にそれぞれ表示する原データ位置表示手段と、
前記シェーマ入力画面にてポインタにより指示されるシェーマデータポイントが持つ付記用の原データを、原データ選択画面に候補表示する原データ候補表示手段と、
前記原データ選択画面での選択により前記シェーマ記録画像に付記された原データを持つシェーマデータポイントの前記シェーマ記録画像上の対応位置を、前記付記データを持つシェーマデータ記録ポイントとして前記シェーマ記録画像に対応付けて記憶する付記データ位置記憶手段と、
を有することを特徴とする診療支援装置。
【００１４】
（６）　前記（１）〜（５）の何れかに於いて、さらに、
前記シェーマ記録画像が基づいたシェーマ原画像を持つシェーマポイントの人体モデル画像上の位置を、前記シェーマ記録画像を持つシェーマ記録ポイントとして記憶する記録画像位置記憶手段、
を有することを特徴とする診療支援装置。
【００１５】
（７）　シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
前記人体モデル画像を表示する記録画像検索画面に各シェーマ記録ポイントを表示する記録画像位置表示手段と、
前記記録画像検索画面にてポインタにより指示されるシェーマ記録ポイントが持つシェーマ記録画像を、記録画像選択画面に候補表示する記録画像候補表示手段と、
前記記録画像選択画面にて選択されたシェーマ記録画像を編集対象としてシェーマ編集画面に表示する対象画像表示手段と、
を有することを特徴とする診療支援装置。
【００１６】
（８）　前記（７）に於いて、さらに、
シェーマ記録画像に関する書誌情報を検索キーとして利用可能なようにシェーマ記録画像毎に記憶している検索情報記憶手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記編集対象のシェーマ記録画像と同じであるシェーマ記録画像の中から、入力された検索キーに該当するシェーマ記録画像を抽出する検索制御手段と、
を有することを特徴とする診療支援装置。
【００１７】
（９）　シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
操作入力により編集対象として選択されたシェーマ記録画像をシェーマ編集画面に表示する対象画像表示手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記編集対象のシェーマ記録画像と同じであるシェーマ記録画像の中から、入力された検索キーに該当するシェーマ記録画像を抽出する検索制御手段と、
を有することを特徴とする診療支援装置。
【００１８】
（１０）　シェーマ記録画像が対応付けられている領域をシェーマ記録ポイントとして管理する診療支援装置であって、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
操作入力により作成すべき対象として設定された画像をシェーマ記録画像としてシェーマ入力画面に表示する対象画像表示手段と、
操作入力により前記作成対象のシェーマ記録画像に関して設定された前記人体モデル画像上の位置に基づいて該シェーマ記録画像にシェーマ記録ポイントを設定する記録画像位置設定手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記作成対象のシェーマ記録画像と同じであるシェーマ記録画像の中から、入力された検索キーに該当するシェーマ記録画像を抽出する検索制御手段と、
を有することを特徴とする診療支援装置。
【００１９】
（１１）　シェーマ原画像が対応付けられている領域をシェーマポイントとして管理するとともに、シェーマ記録画像が対応付けられている領域をシェーマ記録ポイントとして管理する診療支援装置であって、
シェーマポイントの人体モデル画像上の位置と、各シェーマポイントが持つシェーマ原画像とを、シェーマポイント毎に保持している原画像記憶手段と、
シェーマ記録ポイントの人体モデル画像上の位置と、各シェーマ記録ポイントが持つシェーマ記録画像とを、シェーマ記録ポイント毎に保持している記録画像記憶手段と、
シェーマ記録画像に関する書誌情報を検索キーとして利用可能なようにシェーマ記録画像毎に記憶している検索情報記憶手段と、
前記人体モデル画像を表示する原画像検索画面に各シェーマポイントを表示する原画像位置表示手段と、
前記原画像検索画面にてポインタにより指示されるシェーマポイントが持つシェーマ原画像を、原画像選択画面に候補表示する原画像候補表示手段と、
前記原画像選択画面にて選択されたシェーマ原画像を、作成すべきシェーマ記録画像としてシェーマ入力画面に表示する対象画像表示手段と、
前記シェーマ記録画像が基づいたシェーマ原画像を持つシェーマポイントの人体モデル画像上の位置を、前記シェーマ記録画像を持つシェーマ記録ポイントとして記憶する記録画像位置記憶手段と、
参照用のシェーマ記録画像の抽出を指令するための参照指令入力手段と、
参照指令が入力されると前記検索情報記憶手段が持つ書誌情報に基づいて検索キーの操作入力を促す検索準備手段と、
検索キーが入力されると、シェーマ記録ポイントが前記作成対象のシェーマ記録画像と同じであるシェーマ記録画像の中から、入力された検索キーに該当するシェーマ記録画像を抽出する検索制御手段と、
を有することを特徴とする診療支援装置。
【００２０】
（１２）　前記（８）〜（１１）の何れかに於いて、
前記検索制御手段に代えて、
検索キーが入力されると、シェーマ記録ポイントが前記作成対象又は編集対象のシェーマ記録画像と同じであるシェーマ記録画像であって且つ検索キーで規定される範囲に含まれるシェーマ記録画像を抽出して、所定時間間隔で切り換えて連続的に表示する表示制御手段、
を有することを特徴とする診療支援装置。
【００２１】
（１３）　前記（８）〜（１２）の何れかに於いて、
前記検索情報記憶手段が記憶している前記書誌情報は、シェーマ記録画像の作成年月日、及び／又は、シェーマ記録画像の対象患者を一意に指す患者ＩＤ、及び／又は、該対象患者の性別、及び／又は、該対象患者の年齢、及び／又は、該対象患者の病名、及び／又は、シェーマ記録画像中に付記した定型コメント、及び／又は、シェーマ記録画像中に付記した定型図形であり、
前記検索準備手段が操作入力を促す情報は、シェーマ記録画像の作成時期もしくは期間の指定、及び／又は、シェーマ記録画像の対象患者の指定、及び／又は、該対象患者の性別の指定、及び／又は、該対象患者の年齢もしくは年齢範囲の指定、及び／又は、該対象患者の病名の指定、及び／又は、シェーマ記録画像中に付記した定型コメントの指定、及び／又は、シェーマ記録画像中に付記した定型図形である、
ことを特徴とする診療支援装置。
【００２２】
【発明の実施の形態】
図１は実施の形態の診療支援装置（＝電子カルテ機能を備えたコンピュータ装置）の構成図、図２〜図５は本診療支援装置で実行されるシェーマ画像入力（＝作成）手順の一例を示すフローチャート、図６〜図９は本診療支援装置で実行されるシェーマ画像修正（＝編集）手順の一例を示すフローチャート、図１０〜図１１は上記シェーマ画像入力手順やシェーマ画像修正手順の中で必要に応じて呼ばれるシェーマ記録画像参照手順の概要を説明するフローチャート、図１２〜図１４は図１中のハードディスク１１内に記録されている各種テーブルの構成例を示す説明図、図１５〜図１９は図１中の表示装置１６に表示される画面例を示す説明図である。
【００２３】
本診療支援装置は、図１に示すように、ＣＰＵ・ＲＡＭ・ＲＯＭ等を備えた制御装置１０、ハードディスク等で構成される記憶装置１１、液晶モニタ或いはＣＲＴ等で構成される表示装置１６、キーボードやマウス等で構成される入力装置１７、印刷装置１８、等を備えたコンピュータ装置である。これらを有するコンピュータ装置の構成は周知であるため、原則として説明は省略する。また、図１はスタンドアローンの構成例を示しているが、本診療支援装置は、ＬＡＮ上のサーバ及びクライアントを用いて構成してもよい。要は、本発明の機能を実現できる構成であれば、単独のコンピュータ装置であるか、複数のコンピュータ装置を連携させたものであるかは問わない。
【００２４】
ハードディスク１１には、電子カルテ機能を実現するためのアプリケーションソフトウエアが記憶されている。電子カルテ機能のうち公知の部分については説明を省略し、シェーマ図の作成・編集（＝修正，削除）・参照に係る機能を中心に説明する。なお、本明細書では、シェーマ図の作成時に原型として用いる画像をシェーマ原画像と称し、作成されたシェーマ図や編集されたシェーマ図をシェーマ記録画像と称する。
【００２５】
ハードディスク１１には、また、電子カルテ機能に於いて使用する診療情報データベースが記憶されている。診療情報データベースのうち公知の部分については説明を省略し、シェーマ図の作成・編集（＝修正，削除）・参照に於いて使用するテーブルの構成例を説明する。
【００２６】
シェーマポイントテーブルは、図１２（ａ）に示すように、一意のシェーマポイントＩＤ（ＳＰ−ＩＤ）に、シェーマポイント名、シェーマポイントの領域を規定する領域データ、シェーマポイントが持つシェーマ原画像のファイル名、シェーマポイントの表示条件、等を対応付けるテーブルである。
シェーマデータポイントテーブルは、図１２（ｂ）に示すように、一意のシェーマデータポイントＩＤ（ＳＤＰ−ＩＤ）に、シェーマデータポイント名、シェーマデータポイントの領域を規定する領域データ、シェーマデータポイントが属するシェーマ原画像を指示するためのシェーマポイントＩＤ（ＳＰ−ＩＤ）、シェーマデータポイントが持つ付記用の原データを指示するための原データＩＤ（ＯＤ−ＩＤ）、等を対応付けるテーブルである。
【００２７】
シェーマ記録ポイントテーブルは、図１３（ａ）に示すように、一意のシェーマ記録ポイントＩＤ（ＳＲＰ−ＩＤ）に、シェーマ記録ポイント名、シェーマ記録ポイントの領域を規定する領域データ、シェーマ記録ポイントが持つシェーマ原画像を指示するためのシェーマポイントＩＤ（ＳＰ−ＩＤ）、シェーマ記録画像に対応付けられる患者を指示するための患者ＩＤ、シェーマ記録画像の記録年月日、等を対応付けるテーブルである。
シェーマデータ記録ポイントテーブルは、図１３（ｂ）に示すように、一意のシェーマデータ記録ポイントＩＤ（ＳＤＲＰ−ＩＤ）に、シェーマデータ記録ポイント名、シェーマデータ記録ポイントの領域を規定する領域データ、シェーマデータ記録ポイントが属するシェーマ記録画像を指示するためのシェーマ記録ポイントＩＤ（ＳＲＰ−ＩＤ）、シェーマデータ記録ポイントが持つ付記データを指示するための付記データ（原データ，入力データ）ＩＤ（ＯＤ−ＩＤ，ＭＤ−ＩＤ））、付記データの記録年月日、等を対応付けるテーブルである。
【００２８】
患者テーブルは、図１４（ａ）に示すように、一意の患者ＩＤに、患者氏名、性別、生年月日、病名、等を対応付けるテーブルである。
病名テーブルは、図１４（ｂ）に示すように、一意の病名ＩＤに、病名、所属分類を対応付けるテーブルである。
原データテーブルは、図１４（ｃ）に示すように、一意の原データＩＤ（ＯＤ−ＩＤ）に、原データの内容を対応付けるテーブルである。
入力データテーブルは、一意の入力データＩＤ（ＭＤ−ＩＤ）に、入力データの内容を対応付けるテーブルである。
以上のテーブルの使用方法については、以下の手順の説明で詳述する。
【００２９】
以下、フローチャートに即して、本実施の形態の装置の機能を説明する。
［１］シェーマ画像入力手順：
図２〜図５は、シェーマ画像入力手順の一例を示す。
図示の入力手順では、作成しようとしているシェーマ画像（＝目的のシェーマ記録画像）の原型として用いるシェーマ原画像を、人体モデル画像上に配されたシェーマポイントを利用して検索する。また、検索したシェーマ原画像上に配されているシェーマデータポイントを利用して所望のコメントを検索して、目的のシェーマ記録画像に転記する。
以下、図２〜図５のフローチャートに即して説明する。
【００３０】
ステップＳ０１〜Ｓ１５では、目的のシェーマ記録画像の原型として用いるべきシェーマ原画像を検索する。
まず、シェーマ原画像検索画面を起動して、人体モデル画像を表示する（Ｓ０１）。人体モデル画像とは、図１５の画面内左部に一例を示すように、人体モデルを２次元又は３次元で描いた画像である。なお、図１５の画面内左部が、シェーマ原画像検索画面である。
【００３１】
次に、人体モデル画像上の各シェーマポイントの位置と、各シェーマポイントが持つシェーマ原画像を、図１２（ａ）に一例を示すシェーマポイントテーブルを利用して取得する（Ｓ０３）。図示のように、各シェーマポイントは、シェーマポイントの位置を規定する領域データと、シェーマポイントが持つシェーマ原画像を指示する原画像ファイル名とを、対応付けて持つ。また、シェーマポイントを人体モデル画像上に表示するか否か規定する表示条件（性別，年齢）を、シェーマポイント毎に持つ。例えば、現在の患者（＝目的のシェーマ記録画像の対象患者）が男性である場合には、表示条件「性別」が「女性（のみ）」であるシェーマポイントは、人体モデル画像上に表示されない。なお、前記領域データとして、図１２（ａ）では２次元の領域データが示されているが、３次元の領域データを用いる構成でも良い。
【００３２】
ステップＳ０５では、ステップＳ０３で取得した各シェーマポイントを、人体モデル画像上に表示する。図１５の画面内左部に示すシェーマ原画像検索画面では、人体モデル画像上の各シェーマポイントを、それぞれ○印で示している。
【００３３】
人体モデル画像上の何れかのシェーマポイントの領域にポインタが入ると（Ｓ０７でＹＥＳ）、原画像選択画面を起動する（Ｓ０９）。この原画像選択画面では、ポインタが指示するシェーマポイントに対応付けられている１又は２以上のシェーマ原画像と、ポインタが指示するシェーマポイントの近傍の各シェーマポイントに対応付けられている各々１又は２以上のシェーマ原画像とが、選択可能に候補表示される。図１５の画面内中央部〜右部に、シェーマ原画像を候補表示した様子を例示する。これら候補表示のシェーマ原画像は、簡略化画像（サムネイル）でもよい。また、一つのシェーマポイントに複数個のシェーマ原画像が対応付けられている場合は、切り換え可能に表示する。例えば、「胸部３件」のように表示し、スクロール操作で切換可能とする。なお、図１５の画面内中央部〜右部が、前記原画像選択画面に相当する。また、「シェーマポイントの近傍」とは、図１５の例では、周囲の隣接するシェーマポイントを指す。
【００３４】
シェーマポイントの領域に入ったポインタが該シェーマポイントの領域から外れると（Ｓ１３でＹＥＳ）、原画像選択画面を閉じる（Ｓ１５）。図１５の例では、画面内中央部〜右部に示すシェーマ原画像を非表示とする。
【００３５】
候補表示したシェーマ原画像の中から所望のシェーマ原画像がユーザの操作入力により選択されると（Ｓ１１でＹＥＳ）、シェーマ原画像検索画面と原画像選択画面を閉じる（Ｓ１７）。即ち、図１５の画面を閉じる。次に、シェーマ入力画面を起動して、前記ステップＳ１１にて「選択」と判定したシェーマ原画像のコピーを、目的のシェーマ記録画像として表示する（Ｓ１９）。図１６の画面内左部に、その様子を例示する。なお、図１６の画面内左部が、シェーマ入力画面に相当する。
【００３６】
次に、目的のシェーマ記録画像が基づいているシェーマ原画像（＝原型のシェーマ原画像）上の各シェーマデータポイントの位置と、各シェーマデータポイントが持つ付記用の原データ（＝定型コメント）を、図１２（ｂ）のシェーマデータポイントテーブルを利用して取得する（Ｓ２１）。図示のように、各シェーマデータポイントは、シェーマデータポイントの位置を規定する領域データと、シェーマデータポイントが属するシェーマ原画像に一意に対応付けられているシェーマポイントＩＤ（ＳＰ−ＩＤ））と、付記用の原データ（＝定型コメント）に一意に対応付けられている原データＩＤ（ＯＤ−ＩＤ）を、対応付けて持つ。なお、前記領域データとして、図１２（ｂ）では２次元の領域データが示されているが、３次元の領域データを用いる構成でも良い。
【００３７】
取得した領域データを用いて、各シェーマデータポイントを、目的のシェーマ記録画像上の該当位置に表示する（Ｓ２３）。その様子を、図１６の画面内左部に示す。図１６の例では、各シェーマデータポイントをメッシュ付きの○印で表示している。なお、上記の領域データは、正確には、原型のシェーマ原画像上の領域を示すデータであるが、これは、ステップＳ１９での説明から明らかなように、目的のシェーマ記録画像上の領域と同等である。
【００３８】
目的のシェーマ記録画像上の何れかのシェーマデータポイント領域にポインタが入ると（Ｓ２５でＹＥＳ）、付記データ入力画面１を起動する（Ｓ２７）。付記データ入力画面１は、付記用の原データ（＝定型コメント）の選択や、付記用のデータ（任意コメント）の入力を行うための画面である。ここで、定型コメントや任意コメントとしては、必ずしも文字データに限定されず、例えば、イラスト等の画像データや、音声データ等であってもよい。
【００３９】
付記データ入力画面１では、付記用の原データ（＝定型コメント）を、選択可能に候補表示する。図１６の画面内右部（付記データ入力画面１）に、現在のポインタ位置のシェーマデータポイントに対応付けられている１又は２以上の定型コメントを、コンボボックスを用いて選択可能に表示した様子を示す。なお、図１６では、部位名も併せて表示されている。このため、図１２（ｂ）のシェーマデータポイントテーブルは、部位名（ＳＤＰ名）も対応付けて持つ。なお、図１２（ｂ）では、部位名が「ＳＤＰ０１」等のように記号的に表されているが、実際には、現実の部位名が保持されるものとする。また、図１６では、任意コメントを入力するための入力欄が図示されていないが、そのような入力欄を設けてもよいことは勿論である。
【００４０】
付記データ入力画面１に候補表示した中からユーザ所望の原データ（＝定型コメント）が操作入力により選択され、又は、任意コメントが入力されると（Ｓ２９でＹＥＳ）、該選択された定型コメント又は入力された任意コメントを、現在のポインタ位置のシェーマデータポイントに対応付けて、メモリに記憶する（Ｓ３１）。また、付記データ入力画面１を閉じるべく、ポインタをシェーマデータポイント外へ出す処理を実行する（Ｓ３１；下記Ｓ３３〜Ｓ３５参照）。
【００４１】
また、ポインタがシェーマデータポイントから出ると（Ｓ３３でＹＥＳ）、付記データ入力画面１を閉じる（Ｓ３５）。つまり、図１６の画面内右部に示す原データの選択欄等を非表示とする。
【００４２】
シェーマ入力画面（目的のシェーマ記録画像を表示している画面；図１６の画面内左部）内でダブルクリックが検出されると（Ｓ３７でＹＥＳ）、該検出位置が既存のポイント（シェーマデータポイント／シェーマデータ記録ポイント）外であることを条件として（Ｓ３９でＹＥＳ）、該検出位置に新たにシェーマデータ記録ポイントを設定して、シェーマ入力画面内に表示する（Ｓ４１）。シェーマデータ記録ポイントとは、現実に付記データ（＝定型又は任意コメント）が記録された（される）シェーマ記録画像内の領域である。ここで、シェーマデータポイントとシェーマデータ記録ポイントとは、両者を識別できるように、別々の記号を用いてシェーマ入力画面内に表示することとする。その後、付記データ入力画面２を起動するべく、ポインタを上記シェーマデータ記録ポイント領域に入れる処理を実行する（Ｓ４１；下記Ｓ４３〜Ｓ４５参照）。
【００４３】
シェーマデータ記録ポイント領域にポインタが入ると（Ｓ４３でＹＥＳ）、付記データ入力画面２を起動する（Ｓ４５）。付記データ入力画面２は任意コメントの入力を行うための画面である。つまり、原データ（＝定型コメント）の選択機能（前記付記データ入力画面１の説明を参照）は無い。
【００４４】
付記データ入力画面２にてユーザ所望の任意コメントが操作入力されると（Ｓ４７でＹＥＳ）、該入力された任意コメントを、現在のポインタ位置のシェーマデータ記録ポイントに対応付けて、メモリに記憶する（Ｓ４９）。また、付記データ入力画面２を閉じるべく、ポインタをシェーマデータ記録ポイント領域外へ出す処理を実行する（Ｓ４９；下記Ｓ５１〜Ｓ５３参照）。
【００４５】
また、ポインタがシェーマデータ記録ポイント領域から出ると（Ｓ５１でＹＥＳ）、付記データ入力画面２を閉じる（Ｓ５３）。
【００４６】
一方、シェーマ入力画面にて参照ボタン（シェーマ参照ボタン；図１６参照）が押下されると（Ｓ５５でＹＥＳ）、シェーマ記録画像参照手順（Ｓ５７）が実行される。シェーマ記録画像参照手順では、既存のシェーマ記録画像に付記されているコメント等を目的のシェーマ記録画像へ転記したり、既存のシェーマ記録画像と目的のシェーマ記録画像とを重ね合わせて比較対照したりする処理が実行される。シェーマ記録画像参照手順の詳細は後述する。
【００４７】
ＯＫボタンが押下されるまで、前述のステップＳ２５〜Ｓ５７の処理が、繰り返して実行される。
【００４８】
シェーマ入力画面内にてＯＫボタンが押下されると（Ｓ５９でＹＥＳ）、目的のシェーマ記録画像や、目的のシェーマ記録画像のために選択／入力した付記データ（定型コメント／任意コメント）を、ハードディスク内の該当するテーブルに新規に記録する処理が実行される。
【００４９】
例えば、付記データ（＝定型コメント／任意コメント）が対応付けられたシェーマデータポイントがメモリ上に記憶されている場合は（Ｓ６１でＹＥＳ；Ｓ３１参照）、該シェーマデータポイントと同じ領域を持つシェーマデータ記録ポイントを新たに設定して、該シェーマデータ記録ポイントに上記付記データと目的のシェーマ記録画像とを対応付けて、ハードディスク内のシェーマデータ記録ポイントテーブル（図１３（ｂ））に新規レコードとして記録する（Ｓ６３）。ここで、上記の「シェーマデータ記録ポイントに対応付けられる目的のシェーマ記録画像」とは、正確には、目的のシェーマ記録画像が基づいているシェーマ原画像（＝原型のシェーマ原画像）を一意に指示するデータである。換言すれば、目的のシェーマ記録画像は、原型のシェーマ原画像と、該原型のシェーマ原画像に付記されたデータ（定型コメント／任意コメント）とを対応付けるテーブルとして管理されるのであって、原型のシェーマ原画像と付記データとを一体に合成した画像データとして管理されるのではない。このため、目的のシェーマ記録画像の二次利用が可能となる。原型のシェーマ原画像を一意に指示するデータは、図１３（ｂ）の例ではシェーマ記録ポイントＩＤ（ＳＲＰ−ＩＤ）であるが、これに代えて、シェーマポイントＩＤ（ＳＰ−ＩＤ）を用いてもよい。
【００５０】
一方、付記データが対応付けられたシェーマデータポイントではなく、付記データが対応付けられたシェーマデータ記録ポイントがメモリ上に記憶されている場合は（Ｓ６５でＹＥＳ；Ｓ４９参照）、該シェーマデータ記録ポイントに上記付記データと目的のシェーマ記録画像とを対応付けて、ハードディスク内のシェーマデータ記録ポイントテーブル（図１３（ｂ））に新規レコードとして記録する（Ｓ６７）。ここでの「シェーマデータ記録ポイントに対応付けられる目的のシェーマ記録画像」もまた、当然ながら、正確には、目的のシェーマ記録画像が基づいているシェーマ原画像（＝原型のシェーマ原画像）を一意に指示するデータである。なお、シェーマデータ記録ポイントテーブルでは、他に、記録年月日も対応付けて記録される。
【００５１】
次に、ステップＳ６９に於いて、目的のシェーマ記録画像が基づいているシェーマ原画像（＝原型のシェーマ原画像）と同じ領域を人体モデル画像上に持つシェーマ記録ポイントを新規に設定し、該シェーマ記録ポイントに目的のシェーマ記録画像と患者ＩＤを対応付けて、ハードディスク内のシェーマ記録ポイントテーブル（図１３（ａ））に新規レコードとして記録する。ここで、「シェーマ記録ポイントに対応付けられる目的のシェーマ記録画像」とは、正確には、目的のシェーマ記録画像が基づいているシェーマ原画像（＝原型のシェーマ原画像）を一意に指示するデータである。このデータとしては、具体的には、シェーマポイントＩＤ（ＳＰ−ＩＤ）が用いられる。なお、シェーマ記録ポイントテーブルでは、他に、記録年月日も対応付けて記録される。
その後、シェーマ入力画面を閉じて（Ｓ６９）、シェーマ記録画像入力手順を終了する。
【００５２】
［２］シェーマ画像修正手順：
図６〜図９は、シェーマ画像修正手順の一例を示す。
図示の修正手順では、修正対象とするシェーマ画像（＝目的のシェーマ記録画像）を、人体モデル画像上に配された対象患者（＝シェーマ画像を修正する対象の患者）のシェーマ記録ポイントを利用して検索する。また、シェーマ記録ポイントの位置が目的のシェーマ記録画像と同じシェーマ記録画像の中から、参照用のシェーマ記録画像を検索して、該参照用のシェーマ記録画像が持つ付記データを、目的のシェーマ記録画像の修正に活用する。
以下、図６〜図９のフローチャートに即して説明する。
【００５３】
ステップＴ０１〜Ｔ１５では、修正対象とするシェーマ画像（＝目的のシェーマ記録画像）を検索する。
まず、シェーマ記録画像検索画面を起動して、人体モデル画像を表示する（Ｔ０１）。人体モデル画像とは、図１７の画面内左端部に一例を示すように、人体モデルを２次元又は３次元で描いた画像である。なお、図１７の画面内左端部が、シェーマ記録画像検索画面である。
【００５４】
次に、人体モデル画像上の対象患者の各シェーマ記録ポイントの位置と、各シェーマ記録ポイントが持つシェーマ記録画像を、図１３（ａ）に一例を示すシェーマ記録ポイントテーブルを利用して取得する（Ｔ０３）。図示のように、各シェーマ記録ポイントは、患者を一意に指示する患者ＩＤと、シェーマ記録ポイントの位置を規定する領域データと、シェーマ記録ポイントが持つシェーマ記録画像が基づいているシェーマ原画像（＝原型のシェーマ原画像）を一意に指示し得るシェーマポイントＩＤ（ＳＰ−ＩＤ）とを、対応付けて持つ。また、参照用のシェーマ記録画像を検索する際の絞り込みに用い得る記録年月日を、シェーマ記録ポイント毎に持つ。この絞り込みには、前述の患者ＩＤも用い得る。なお、前記領域データとして、図１３（ａ）の例では２次元の領域データが示されているが、３次元の領域データを用いる構成でも良い。
【００５５】
ステップＴ０５では、ステップＴ０３で取得した対象患者の各シェーマ記録ポイントを、人体モデル画像上に表示する。図１７の画面内左部に示すシェーマ記録画像検索画面では、人体モデル画像上の各シェーマポイントを、それぞれ○印で示している。
【００５６】
人体モデル画像上の対象患者の何れかのシェーマ記録ポイントの領域にポインタが入ると（Ｔ０７でＹＥＳ）、記録画像選択画面を起動する（Ｔ０９）。この記録画像選択画面では、ポインタが指示するシェーマ記録ポイントに対応付けられている対象患者の１又は２以上のシェーマ記録画像が、選択可能に候補表示される。図１７の画面内左部中央寄り部位に、シェーマ記録画像を候補表示した様子を例示する。この例では、４枚のシェーマ記録画像を、スクロール操作で切り換え可能に表示している。なお、図１７の画面内部中央寄り部位が、前記記録画像選択画面に相当する。
【００５７】
シェーマ記録ポイントの領域に入ったポインタが該シェーマ記録ポイントの領域から外れると（Ｔ１３でＹＥＳ）、記録画像選択画面を閉じる（Ｔ１５）。図１７に示す例であれば、画面内左部中央寄り部位に示すシェーマ記録画像を非表示とする。
【００５８】
候補表示した対象患者のシェーマ記録画像の中から所望のシェーマ記録画像がユーザの操作入力により選択されると（Ｔ１１でＹＥＳ）、シェーマ記録画像検索画面と記録画像選択画面を閉じる（Ｔ１７）。なお、図１７は、シェーマ記録画像検索画面（図１７の画面内左端部）上のシェーマ記録ポイント群と、該シェーマ記録ポイント群の中の特定のシェーマ記録ポイントに対応付けられているシェーマ記録画像群の中からステップＴ１１で「選択」と判定された特定のシェーマ記録画像（図１７の画面内左部中央寄り部位に「選択」時に表示されていたシェーマ記録画像）と、該特定のシェーマ記録画像上のシェーマデータ記録ポイント群と、該シェーマデータ記録ポイント群の中の特定のシェーマデータ記録ポイントに対応付けられている付記データとを連携して示す画面であり、シェーマ記録画像検索画面と記録画像選択画面としての機能終了後も、シェーマ修正画面の一部として機能する画面であるため、視覚的には、図１７の画面内左部（左端部と左部中央寄り部位）は非表示にはされない。
【００５９】
次に、シェーマ修正画面を起動して、前記ステップＴ１１にて「選択」と判定したシェーマ記録画像（図１７の画面内左部中央寄り部位に「選択」時に表示されていたシェーマ記録画像）を、目的のシェーマ記録画像（＝修正対象とするシェーマ記録画像）として表示する（Ｔ１９）。図１７の画面内左部中央寄り部位に、その様子を例示する。つまり、この時点では、図１７の画面内左部中央寄り部位が、シェーマ修正画面に相当する。
【００６０】
ステップＴ２１では、目的のシェーマ記録画像上の各シェーマデータ記録ポイントの位置と、各シェーマデータ記録ポイントが持つ付記データ（＝定型コメント／任意コメント）とを、図１３（ｂ）のシェーマデータ記録ポイントテーブルを利用して取得する。図示のように、各シェーマデータ記録ポイントは、シェーマデータ記録ポイントの位置を規定する領域データと、シェーマデータ記録ポイントが属するシェーマ記録画像が基づいているシェーマ原画像（＝原型のシェーマ原画像）に一意に対応付けられているシェーマ記録ポイントＩＤ（ＳＲＰ−ＩＤ）と、付記データ（＝定型コメント／任意コメント）に一意に対応付けられている原データＩＤ（ＯＤ−ＩＤ）／入力データＩＤ（ＭＤ−ＩＤ）と、記録年月日を、対応付けて持つ。なお、前記領域データとして、図１３（ｂ）では２次元の領域データが示されているが、３次元の領域データを用いる構成でも良い。
【００６１】
取得した領域データを用いて、各シェーマデータ記録ポイントを、目的のシェーマ記録画像上の該当位置に表示する（Ｔ２３）。その様子を、図１７の画面内左部中央寄り部位に示す。図１７の例では、各シェーマデータ記録ポイントを○印で表示している。なお、上記の領域データは、正確には、原型のシェーマ原画像上の領域を示すデータであるが、これは、ステップＴ１９での説明から明らかなように、目的のシェーマ記録画像上の領域と同等である。
【００６２】
目的のシェーマ記録画像上に於いて、何れかのシェーマデータ記録ポイント領域にポインタが入ると（Ｔ２５でＹＥＳ）、付記データ修正画面を起動する（Ｔ２７）。付記データ修正画面は、ポインタ位置のシェーマデータ記録ポイントに対応付けて記録されている付記データの修正／削除を行うための画面である。図１７の例では、図１７の画面内右部に表示されているコメントが、ユーザの操作入力により修正／削除可能である。なお、図１７では、部位名も併せて表示されている。このため、図１３（ｂ）のシェーマデータ記録ポイントテーブルは、部位名（ＳＤＲＰ名）も対応付けて持つ。なお、図１３（ｂ）では、部位名が「ＳＤＲＰ０１」等のように記号的に表されているが、実際には、現実の部位名が保持されるものとする。
【００６３】
付記データ修正画面にて、操作入力によりユーザ所望の付記データの修正が行われると（Ｔ２９でＹＥＳ）、該修正された付記データを、現在のポインタ位置のシェーマデータ記録ポイントに対応付けて、メモリに記憶する（Ｔ３１）。また、付記データ修正画面を閉じるべく、ポインタをシェーマデータ記録ポイント外へ出す処理を実行する（Ｔ３１；下記Ｔ３３〜Ｔ３５参照）。
【００６４】
同様に、付記データ修正画面にて、操作入力によりユーザ所望の付記データの削除が行われると（Ｔ４４でＹＥＳ）、該削除された付記データをシェーマ修正画面内（図１７の画面内右部）から消し、且つ、該削除の旨を現在のポインタ位置のシェーマデータ記録ポイントに対応付けてメモリに記憶する（Ｔ４６）。また、付記データ修正画面を閉じるべく、ポインタをシェーマデータ記録ポイント外へ出す処理を実行する（Ｔ４６；下記Ｔ３３〜Ｔ３５参照）。
【００６５】
ポインタがシェーマデータ記録ポイントから出ると（Ｔ３３でＹＥＳ）、付記データ修正画面を閉じる（Ｔ３５）。つまり、図１７の画面内右部に示す付記データの修正／削除欄を非表示とする。
【００６６】
シェーマ修正画面（目的のシェーマ記録画像を表示している画面；図１７では画面内左部中央寄り部位）内に於いてダブルクリックが検出されると（Ｔ３７でＹＥＳ）、該検出位置が既存のシェーマデータ記録ポイント外であることを条件として（Ｔ３９でＹＥＳ）、該検出位置に新たにシェーマデータ記録ポイントを設定して、シェーマ修正画面内に表示する（Ｔ４１）。シェーマデータ記録ポイントとは、現実に付記データが記録された（される）シェーマ記録画像内の領域である。その後、付記データ修正画面を起動するべく、ポインタを上記シェーマデータ記録ポイント領域に入れる処理を実行する（Ｔ４１；前記Ｔ２５〜Ｔ２７参照）。これにより、新たに設定したシェーマデータ記録ポイントに対応付けて付記データを修正すること（元の付記データが「０」の状態に於いてデータを追記すること）が可能となる。
【００６７】
シェーマ修正画面にて参照ボタン（図１７では不図示）が押下されると（Ｔ５５でＹＥＳ）、シェーマ記録画像参照手順（Ｔ５７）が実行される。シェーマ記録画像参照手順では、既存のシェーマ記録画像に付記されているコメント等を目的のシェーマ記録画像へ転記したり、既存のシェーマ記録画像と目的のシェーマ記録画像とを重ね合わせて比較対照したりする処理が実行される。シェーマ記録画像参照手順の詳細は後述する。
【００６８】
ＯＫボタンが押下されるまで、前述のステップＴ２５〜Ｔ５７の処理が、繰り返して実行される。
【００６９】
シェーマ修正画面内にてＯＫボタンが押下されると（Ｔ５９でＹＥＳ）、目的のシェーマ記録画像に関して修正した付記データで修正前の付記データを更新したり、目手のシェーマ記録画像に関して削除した付記データ及び該付記データのシェーマデータ記録ポイントを削除等する処理が実行される。
【００７０】
例えば、付記データが修正されたシェーマデータ記録ポイントがメモリ上に記憶されている場合は（Ｔ６６でＹＥＳ；Ｔ３１参照）、ハードディスク内のシェーマデータ記録ポイントテーブルに於いて上記シェーマデータ記録ポイントに対応付けられている付記データを修正後の付記データで更新する（Ｔ６８）。
【００７１】
また、付記データが削除されたシェーマデータ記録ポイントがメモリ上に記憶されている場合は（Ｔ７０でＹＥＳ；Ｔ４６参照）、ハードディスク内のシェーマデータ記録ポイントテーブルに記録されている上記シェーマデータ記録ポイントのレコードを削除する（Ｔ７２）。
その後、シェーマ修正画面を閉じる（Ｔ７４）。
【００７２】
［３］シェーマ記録画像参照手順：
図１０〜図１１は、シェーマ記録画像参照手順の一例を示す。
図示の参照手順では、シェーマ記録ポイントの位置が、入力／修正対象のシェーマ画像（＝目的のシェーマ記録画像）と同じである既存のシェーマ記録画像の中から、指定した検索条件に合致するシェーマ記録画像を抽出して、指定した態様の利用に供する処理が実行される。
以下、図１０〜図１１のフローチャートに即して説明する。
【００７３】
まず、現在の入力／修正対象のシェーマ画像（＝目的のシェーマ記録画像）のシェーマ記録ポイントを、シェーマ記録ポイントテーブル（図１３（ａ）から取得する（Ｕ０２）。
【００７４】
次に、検索範囲をユーザの操作入力により指定するための検索範囲指定画面を起動する（Ｕ０４）。検索範囲は、例えば、下記イ〜ヘのように指定される。
イ．修正／入力対象のシェーマ画像（＝目的のシェーマ記録画像）の患者の別の（例：過去の）シェーマ記録画像を参照するか、又は、修正／入力対象のシェーマ画像（＝目的のシェーマ記録画像）の患者以外の患者のシェーマ記録画像を参照するか、という指定。
ロ．氏名で特定した患者のシェーマ記録画像を参照するという指定。
ハ．男性患者のシェーマ記録画像を参照するか、又は、女性患者のシェーマ記録画像を参照するか、という指定。
ニ．病名分類や、サブメニューで選択した病名によって特定した患者のシェーマ記録画像を参照するという指定。
ホ．年齢範囲で特定した患者のシェーマ記録画像を参照するという指定。
ヘ．シェーマ記録画像の記録日時で特定した（例：２年前以降）シェーマ記録画像を参照するという指定。
これらは例示であり、これら以外の指定方式を用いてもよい。例えば、既存のシェーマ記録画像に付記したコメント（定型コメント，任意コメント）を指定して検索することも考えられる。また、上記は単独で用いても良く、２つ以上の論理和や論理積を用いて検索範囲を指定してもよい。
【００７５】
検索範囲が指定されると（Ｕ０６でＹＥＳ）、該指定に従って検索範囲を設定し、検索範囲指定画面を閉じる（Ｕ０８）。
【００７６】
次に、指定した検索範囲の中から、所望のシェーマ記録画像を抽出する方式を選択するための選択画面を起動する（Ｕ１０）。所望のシェーマ記録画像を抽出する方式としては、下記α，β等を挙げることができる。
α．検索キーの値の指定：
検索キーとその値を指定して、合致するシェーマ記録画像を抽出する方式である。例えば、記録年月日を指定して、該記録年月日に合致するシェーマ記録画像を抽出する方式や、付記データを指定して合致する付記データを持つシェーマ記録画像を抽出する方式である。この方式は、言い換えれば、前記検索範囲の指定を更に詳細に行う方式でもある。
β．アニメーション：
検索範囲に含まれるシェーマ記録画像や、検索範囲に含まれるシェーマ記録画像の特定のシェーマデータ記録ポイントの付記データを、例えば、最新のものから順に過去へ遡って所定時間間隔（例：１０秒間隔）で表示し、所望のシェーマ記録画像が表示された時に停止して、その時のシェーマ記録画像を抽出する方式である。図１９に、アニメーションを行う画面の一例を示す。
【００７７】
ステップＵ１０の選択画面で、所望のシェーマ記録画像を抽出する方式が選択されると（Ｕ１２でＹＥＳ）、該選択画面を閉じ（Ｕ１４）、選択された方式に従って所望のシェーマ記録画像を選択させる（Ｕ１６）。例えば、検索キーとその値を指定させて該当するシェーマ記録画像を返したり、アニメーションを停止させて停止時のシェーマ記録画像を返す処理を実行する。
【００７８】
参照対象のシェーマ記録画像が抽出されると（Ｕ１８でＹＥＳ）、該シェーマ記録画像の利用方式をユーザに決定させる（Ｕ２０）。この決定は、例えば、下記ａ，ｂ等のように行うことができる。
ａ．コピー：
参照対象のシェーマ記録画像の付記データを目的のシェーマ記録画像へコピーする旨と、コピーしたい付記データ又はコピーしたい付記データを持つシェーマデータ記録ポイントとを、ユーザに入力させる。
ｂ．重ね合わせ：
目的のシェーマ記録画像と参照対象のシェーマ記録画像とを透過方式又は半透過方式で重ね合わせる旨と、透過又は半透過させる画像部分とを、ユーザに入力させる。
【００７９】
利用方式が決定されると（Ｕ２２でＹＥＳ）、決定された利用方式に従って参照画像を利用する処理を実行する（Ｕ２４）。
例えば、「コピー」が指定された場合であれば、ユーザの操作入力により指定された付記データ等を、参照用のシェーマ記録画像から、目的のシェーマ記録画像へコピーする。コピーする場合の画面の一例を図１８に示す。
また、「重ね合わせ」が指定された場合であれば、ユーザの操作入力により指定された画像部分を、ユーザの操作入力による指定に従って透明又は半透明として、ユーザの操作入力により指定された２又は３枚以上ののシェーマ記録画像を重ね合わせて表示する。この指定を行うための画面の一例を、図１９の画面内左部に示す。
こうして利用する処理が終了すると（Ｕ２６でＹＥＳ）、元の処理（シェーマ画像入力手順／シェーマ画像修正手順）へ戻る。
【００８０】
図２〜図１１に即して述べた手順は、何れも一例を示すものであり、本発明は係る手順に限定されない。本発明の機能を奏し得る手順であれば、上記と異なる手順であってもよい。
【００８１】
【発明の効果】
前記（１）の構成では、シェーマポイントの人体モデル画像上の位置と各シェーマポイントが持つシェーマ原画像とをシェーマポイント毎に保持している原画像記憶手段と、前記人体モデル画像を表示する原画像検索画面に各シェーマポイントを表示する原画像位置表示手段と、前記原画像検索画面にてポインタにより指示されるシェーマポイントが持つシェーマ原画像を、原画像選択画面に候補表示する原画像候補表示手段と、前記原画像選択画面にて選択されたシェーマ原画像を、作成すべきシェーマ記録画像としてシェーマ入力画面に表示する対象画像表示手段と、を有するため、所望のシェーマ原画像を簡単な操作で直感的に速やかに探し出して、入力対象のシェーマ記録画像として表示できる。
【００８２】
前記（４）の構成では、シェーマデータポイントが属するシェーマ原画像とシェーマデータポイントのシェーマ原画像上の位置とシェーマデータポイントが持つ付記用の原データとをシェーマデータポイント毎に保持している原データ記憶手段と、シェーマ原画像に属する各シェーマデータポイントを該シェーマ原画像に基づいてシェーマ入力画面に表示したシェーマ記録画像上の対応位置にそれぞれ表示する原データ位置表示手段と、前記シェーマ入力画面にてポインタにより指示されるシェーマデータポイントが持つ付記用の原データを、原データ選択画面に候補表示する原データ候補表示手段と、前記原データ選択画面での選択により前記シェーマ記録画像に付記された原データを持つシェーマデータポイントの前記シェーマ記録画像上の対応位置を、前記付記データを持つシェーマデータ記録ポイントとして前記シェーマ記録画像に対応付けて記憶する付記データ位置記憶手段と、を有するため、所望の付記用の原データ（定型コメント等）を簡単な操作で直感的に速やかに探し出して、入力対象のシェーマ記録画像に取り入れることができる。
【００８３】
前記（５）の構成は、前記（１）と（４）の構成を合わせ持つため、所望のシェーマ原画像を簡単な操作で直感的に速やかに探し出して、入力対象のシェーマ記録画像として表示できるとともに、さらに、該シェーマ記録画像に取り入れるための付記用の原データ（定型コメント等）を、簡単な操作で直感的に速やかに探し出すことができる。
【００８４】
前記（６）の構成は、前記（１）〜（５）の何れかに於いて、さらに、前記シェーマ記録画像が基づいたシェーマ原画像を持つシェーマポイントの人体モデル画像上の位置を、前記シェーマ記録画像を持つシェーマ記録ポイントとして記憶する記録画像位置記憶手段、を有するため、今回作成したシェーマ記録画像を、後に参照する際に、簡単な操作で直感的に速やかに探し出すことができる。
【００８５】
前記（７）の構成では、シェーマ記録ポイントの人体モデル画像上の位置と各シェーマ記録ポイントが持つシェーマ記録画像とをシェーマ記録ポイント毎に保持している記録画像記憶手段と、前記人体モデル画像を表示する記録画像検索画面に各シェーマ記録ポイントを表示する記録画像位置表示手段と、前記記録画像検索画面にてポインタにより指示されるシェーマ記録ポイントが持つシェーマ記録画像を、記録画像選択画面に候補表示する記録画像候補表示手段と、前記記録画像選択画面にて選択されたシェーマ記録画像を編集対象としてシェーマ編集画面に表示する対象画像表示手段と、を有するため、所望のシェーマ記録画像を簡単な操作で直感的に速やかに探し出して、編集対象として表示できる。
【００８６】
前記（８）の構成は、前記（７）に於いて、さらに、シェーマ記録画像に関する書誌情報を検索キーとして利用可能なようにシェーマ記録画像毎に記憶している検索情報記憶手段と、参照用のシェーマ記録画像の抽出を指令するための参照指令入力手段と、参照指令が入力されると前記検索情報記憶手段が持つ書誌情報に基づいて検索キーの操作入力を促す検索準備手段と、検索キーが入力されるとシェーマ記録ポイントが前記編集対象のシェーマ記録画像と同じであるシェーマ記録画像の中から入力された検索キーに該当するシェーマ記録画像を抽出する検索制御手段と、を有するため、前記（７）の構成の効果に加えて、別のシェーマ記録画像を参照用に速やかに簡単な操作で呼び出すことができる効果がある。
【００８７】
前記（９）の構成は、シェーマ記録ポイントの人体モデル画像上の位置と各シェーマ記録ポイントが持つシェーマ記録画像とをシェーマ記録ポイント毎に保持している記録画像記憶手段と、シェーマ記録画像に関する書誌情報を検索キーとして利用可能なようにシェーマ記録画像毎に記憶している検索情報記憶手段と、操作入力により編集対象として選択されたシェーマ記録画像をシェーマ編集画面に表示する対象画像表示手段と、参照用のシェーマ記録画像の抽出を指令するための参照指令入力手段と、参照指令が入力されると前記検索情報記憶手段が持つ書誌情報に基づいて検索キーの操作入力を促す検索準備手段と、検索キーが入力されるとシェーマ記録ポイントが前記編集対象のシェーマ記録画像と同じであるシェーマ記録画像の中から入力された検索キーに該当するシェーマ記録画像を抽出する検索制御手段と、を有するため、シェーマ記録画像の編集時に、別のシェーマ記録画像を参照する操作が容易且つ速やかである。
【００８８】
前記（１０）の構成は、シェーマ記録ポイントの人体モデル画像上の位置と各シェーマ記録ポイントが持つシェーマ記録画像とをシェーマ記録ポイント毎に保持している記録画像記憶手段と、シェーマ記録画像に関する書誌情報を検索キーとして利用可能なようにシェーマ記録画像毎に記憶している検索情報記憶手段と、操作入力により作成すべき対象として設定された画像をシェーマ記録画像としてシェーマ入力画面に表示する対象画像表示手段と、操作入力により前記作成対象のシェーマ記録画像に関して設定された前記人体モデル画像上の位置に基づいて該シェーマ記録画像にシェーマ記録ポイントを設定する記録画像位置設定手段と、参照用のシェーマ記録画像の抽出を指令するための参照指令入力手段と、参照指令が入力されると前記検索情報記憶手段が持つ書誌情報に基づいて検索キーの操作入力を促す検索準備手段と、検索キーが入力されるとシェーマ記録ポイントが前記作成対象のシェーマ記録画像と同じであるシェーマ記録画像の中から入力された検索キーに該当するシェーマ記録画像を抽出する検索制御手段と、を有するため、所望のシェーマ原画像を簡単な操作で直感的に速やかに探し出して入力対象のシェーマ記録画像として表示できるとともに、該シェーマ記録画像にコメント等を入力するために別のシェーマ記録画像を参照したい場合、速やかに簡単な操作で呼び出すことができる。
【図面の簡単な説明】
【図１】実施の形態の診療支援装置の構成を示すブロック図。
【図２】図１の診療支援装置で実行されるシェーマ画像入力手順を示すフローチャートの一部。
【図３】図１の診療支援装置で実行されるシェーマ画像入力手順を示すフローチャートの一部。
【図４】図１の診療支援装置で実行されるシェーマ画像入力手順を示すフローチャートの一部。
【図５】図１の診療支援装置で実行されるシェーマ画像入力手順を示すフローチャートの残部。
【図６】図１の診療支援装置で実行されるシェーマ画像修正手順を示すフローチャートの一部。
【図７】図１の診療支援装置で実行されるシェーマ画像修正手順を示すフローチャートの一部。
【図８】図１の診療支援装置で実行されるシェーマ画像修正手順を示すフローチャートの一部。
【図９】図１の診療支援装置で実行されるシェーマ画像修正手順を示すフローチャートの残部。
【図１０】図５のシェーマ記録画像参照手順、及び、図８のシェーマ記録画像参照手順を示すフローチャートの一部。
【図１１】図５のシェーマ記録画像参照手順、及び、図８のシェーマ記録画像参照手順を示すフローチャートの残部。
【図１２】（ａ）はシェーマポイントテーブル、（ｂ）はシェーマデータポイントテーブル、を例示する説明図。
【図１３】（ａ）はシェーマ記録ポイントテーブル、（ｂ）はシェーマデータ記録ポイントテーブル、を例示する説明図。
【図１４】（ａ）は患者テーブル、（ｂ）は病名テーブル、（ｃ）は原データテーブル、（ｄ）は入力データテーブル、を例示する説明図。
【図１５】シェーマ原画像検索画面（画面内左部）と、現画像選択画面（画面内中央部〜右部）を例示する説明図。
【図１６】シェーマ入力画面（画面内左部）と、付記データ入力画面１（画面内右部）を例示する説明図。
【図１７】シェーマ修正画面（画面内左部）と、付記データ修正画面（画面内右部）を例示する説明図。
【図１８】シェーマ記録画像参照画面を例示する説明図。
【図１９】参照画像をアニメーション表示する画面を例示する説明図。
【図２０】従来のシェーマ原画像選択画面の遷移を示す説明図。分類選択前を示す。
【図２１】従来のシェーマ原画像選択画面の遷移を示す説明図。分類を選択して所望のシェーマ原画像を編集領域へドラッグ＆ドロップした状態を示す。
【図２２】従来のシェーマ原画像選択画面の遷移を示す説明図。編集領域の画像に付記等を施した状態を示す。
【符号の説明】
１０　制御装置
１１　記憶装置（ハードディスク）
【図１】
2004078299.tif 000003
【図２】
2004078299.tif 000004
【図３】
2004078299.tif 000005
【図４】
2004078299.tif 000006
【図５】
2004078299.tif 000007
【図６】
2004078299.tif 000008
【図７】
2004078299.tif 000009
【図８】
2004078299.tif 000010
【図９】
2004078299.tif 000011
【図１０】
2004078299.tif 000012
【図１１】
2004078299.tif 000013
【図１２】
2004078299.tif 000014
【図１３】
2004078299.tif 000015
【図１４】
2004078299.tif 000016
【図１５】
2004078299.tif 000017
【図１６】
2004078299.tif 000018
【図１７】
2004078299.tif 000019
【図１８】
2004078299.tif 000020
【図１９】
2004078299.tif 000021
【図２０】
2004078299.tif 000022
【図２１】
2004078299.tif 000023
【図２２】
2004078299.tif 000024